(57)【要約】【課題】粒径を自在に制御したうえで帯電微粒子水を外部対象空間に放出することのできる静電霧化装置を提供する。【解決手段】本発明の静電霧化装置は、霧化液１に電圧を印加することで帯電微粒子水Ｍを生成する静電霧化装置本体２と、帯電微粒子水Ｍが通過する通過スペースＳを有する筐体３と、通過スペースＳ内に粒径成長用の液体４の蒸気を供給することで通過スペースＳ内での液体４の飽和度を高める飽和度制御手段とを具備する。そして、通過スペースＳ内を通過する帯電微粒子水Ｍにこれを核として液体４を凝縮させることで、帯電微粒子水Ｍの粒径を成長させる。【選択図】図１
2011255251.tif 000002
【特許請求の範囲】
【請求項１】
霧化液に電圧を印加することで帯電微粒子水を生成する静電霧化装置本体と、前記帯電微粒子水が通過する通過スペースを有する筐体と、前記通過スペース内に粒径成長用の液体の蒸気を供給することで前記通過スペース内での前記液体の飽和度を高める飽和度制御手段とを具備し、前記通過スペース内を通過する前記帯電微粒子水にこれを核として前記液体を凝縮させることで、前記帯電微粒子水の粒径を成長させることを特徴とする静電霧化装置。
【請求項２】
前記飽和度制御手段は、前記通過スペース内に前記液体の蒸気を供給し且つ前記通過スペース内の温度を制御することで、前記通過スペース内の前記液体の飽和度を高めるものであることを特徴とする請求項１に記載の静電霧化装置。
【請求項３】
前記通過スペースは、上流側スペースと下流側スペースとを一連に有し、前記上流側スペースよりも前記下流側スペースが高温となるように温度制御したものであることを特徴とする請求項１又は２に記載の静電霧化装置。
【請求項４】
前記通過スペースは、上流側スペースと下流側スペースとを一連に有し、前記上流側スペースよりも前記下流側スペースが低温となるように温度制御したものであることを特徴とする請求項１又は２に記載の静電霧化装置。
【請求項５】
前記筐体は、前記帯電微粒子水と同一極の電圧を印加したものであることを特徴とする請求項１〜４のいずれか一項に記載の静電霧化装置。
【請求項６】
前記帯電微粒子水を放出させる外部対象空間の想定サイズを入力する入力部を具備し、前記入力部に入力された前記想定サイズと対応した粒径となるように前記帯電微粒子水を成長させることを特徴とする請求項１〜５のいずれか一項に記載の静電霧化装置。
【請求項７】
前記飽和度制御手段は、大気中の水分を液化させる液化手段と、前記液化手段で液化された水を前記筐体に搬送する搬送部とを有することを特徴とする請求項１〜６のいずれか一項に記載の静電霧化装置。
【請求項８】
前記液化手段は、結露水を生成するペルチェモジュールからなることを特徴とする請求項７に記載の静電霧化装置。
【発明の詳細な説明】
【技術分野】
【０００１】
本発明は、帯電微粒子水を生成する静電霧化装置に関する。
【背景技術】
【０００２】
霧化液に電圧を印加することで、この霧化液を基にして帯電微粒子水を発生させることのできる静電霧化装置が知られている。ここで生じる帯電微粒子水は、各種の有効成分を含むものであり、ナノメータサイズの非常に小さな粒径を有することから、空間中に浮遊しながら隅々にまで行きわたりやすいといった利点や、付着対象物の表面の奥まった部分にまで到達しやすいといった利点がある（特許文献１等参照）。
【０００３】
一方、帯電微粒子水の粒径が非常に小さいということは、蒸発しやすく、寿命が短くなるという面もある。そのため、帯電微粒子水を放出させる目的、帯電微粒子水を放出しようとする外部対象空間の広さ、等の各種条件に対応して、帯電微粒子水の粒径が制御可能であることが望ましい。
【先行技術文献】
【特許文献】
【０００４】
【特許文献１】特開２００９−０９０２８２号公報
【発明の概要】
【発明が解決しようとする課題】
【０００５】
しかし、霧化液に電圧を印加させて帯電微粒子を生成するに際して、生成された時点での帯電微粒子の粒径を自在に制御することは、容易なことではない。
【０００６】
本発明は前記問題点に鑑みて発明したものであって、粒径を自在に制御した状態で帯電微粒子水を外部対象空間に放出することのできる静電霧化装置を提供することを、課題とする。
【課題を解決するための手段】
【０００７】
前記課題を解決するために、本発明の静電霧化装置を、以下の構成を具備したものとする。
【０００８】
本発明の静電霧化装置は、霧化液に電圧を印加することで帯電微粒子水を生成する静電霧化装置本体と、前記帯電微粒子水が通過する通過スペースを有する筐体と、前記通過スペース内に粒径成長用の液体の蒸気を供給することで前記通過スペース内での前記液体の飽和度を高める飽和度制御手段とを具備し、前記通過スペース内を通過する前記帯電微粒子水にこれを核として前記液体を凝縮させることで、前記帯電微粒子水の粒径を成長させることを特徴とする。
【０００９】
前記飽和度制御手段は、前記通過スペース内に前記液体の蒸気を供給し且つ前記通過スペース内の温度を制御することで、前記通過スペース内の前記液体の飽和度を高めるものであることが好ましい。
【００１０】
前記通過スペースは、上流側スペースと下流側スペースとを一連に有し、前記上流側スペースよりも前記下流側スペースが高温となるように温度制御したものであることが好ましい。
【００１１】
また、前記通過スペースは、上流側スペースと下流側スペースとを一連に有し、前記上流側スペースよりも前記下流側スペースが低温となるように温度制御したものであることも好ましい。
【００１２】
前記筐体は、前記帯電微粒子水と同一極の電圧を印加したものであることも好ましい。
【００１３】
また、本発明の静電霧化装置においては、前記帯電微粒子水を放出させる外部対象空間の想定サイズを入力する入力部を具備し、前記入力部に入力された前記想定サイズと対応した粒径となるように前記帯電微粒子水の粒径を成長させることも好ましい。
【００１４】
前記飽和度制御手段は、大気中の水分を液化させる液化手段と、前記液化手段で液化された水を前記筐体に搬送する搬送部とを有することも好ましい。
【００１５】
前記液化手段は、結露水を生成するペルチェモジュールからなることも好ましい。
【発明の効果】
【００１６】
本発明は、粒径を自在に制御したうえで帯電微粒子水を外部対象空間に放出することができるという効果を奏する。
【図面の簡単な説明】
【００１７】
【図１】本発明の実施形態における第１例の静電霧化装置の基本構成を示す概略図である。
【図２】同上の静電霧化装置から放出した帯電微粒子水の粒径測定の結果を示すグラフ図である。
【図３】同上の帯電微粒子水の寿命測定の結果を示すグラフ図である。
【図４】同上の寿命測定に用いる測定系を示す概略図である。
【図５】本発明の実施形態における第２例の静電霧化装置の基本構成を示す概略図である。
【図６】本発明の実施形態における第３例の静電霧化装置の基本構成を示す概略図である。
【図７】本発明の実施形態における第４例の静電霧化装置の基本構成を示す概略図である。
【図８】本発明の実施形態における第５例の静電霧化装置の基本構成を示す概略図である。
【発明を実施するための形態】
【００１８】
本発明を、添付図面に示す実施形態に基づいて説明する。
【００１９】
図１には、本発明の実施形態における第１例の静電霧化装置の基本構成を概略的に示している。本例の静電霧化装置は、霧化液１となる水に電圧を印加することで帯電微粒子水Ｍを生成する静電霧化装置本体２と、生成された帯電微粒子水Ｍを通過させる通過スペースＳを有する筐体３と、通過スペースＳ内に粒径成長用の液体４となる水の蒸気を供給することでこの通過スペースＳ内での液体４の飽和度を高める飽和度制御手段とを具備する。
【００２０】
静電霧化装置本体２は、霧化液１を保持させる霧化電極１０と、この霧化電極１０に対して所定電圧を印加する電圧印加部１１と、この霧化電極１０に対して霧化液１を供給する液供給手段とを備えている。ここでの液供給手段は、霧化電極１０を冷却するペルチェモジュール１２からなる。つまり、吸熱側と放熱側を有する熱交換器であるペルチェモジュール１２の該吸熱側に、冷却板１３を介して霧化電極１０を接続させ、霧化液１となる結露水を霧化電極１０に直接生成する構造である。
【００２１】
ペルチェモジュール１２の放熱側には、フィン形状の放熱部２８を接続させている。ペルチェモジュール１２内に配される多数のペルチェ素子（図示略）は、冷却制御部１４に電気接続されている。冷却制御部１４は、ペルチェモジュール１２による霧化電極１０の冷却を制御し、これにより、霧化電極１０に対する霧化液１の供給を制御する。
【００２２】
ケース１５は、霧化電極１０やペルチェモジュール１２を収容するものである。ケース１５は、霧化電極１０を囲む静電霧化空間１６を有し、この静電霧化空間１６の霧化電極１０の先端部と対向する位置に、開口１７を設けている。この開口１７には、リング状の電極１８を配している。
【００２３】
電圧印加部１１は、電極１８との間で霧化電極１０にマイナスの高電圧を印加する。電圧が印加された霧化電極１０では、この霧化電極１０に保持される霧化液１に高電圧が印加されることで、霧化電極１０の先端部において静電霧化現象を生じ、マイナス帯電の帯電微粒子水Ｍを生成する。生成された帯電微粒子水Ｍは、リング状である電極１８の中心孔を通じて、ケース１５外（図中上方向）に放出される。
【００２４】
なお、本例では霧化電極１０との対向位置に電極１８を配し、この電極１８との間で霧化電極１０に所定の電圧を印加しているが、電極１８を配さない場合であっても、霧化電極１０に高電圧を印加すれば霧化液１を基にして帯電微粒子水Ｍを生成することができる。
【００２５】
冷却制御部１４と電圧印加部１１とは、制御回路１９によって制御される。図中の符号２０は電流計であり、電極１８と霧化電極１０との間の電流値を計測して制御回路１９に入力する。制御回路１９は、入力された電流値により放電状態を検知する。
【００２６】
筐体３は、軸方向両端に開口を有する筒状の構造体である。この筐体３は、その一端側の開口が静電霧化空間１６の開口１７と連通するように、静電霧化装置本体２（ここでは筐体３の端面）に接続される。筐体３の内部空間が前記通過スペースＳとなり、筐体３の他端側の開口が、前記通過スペースＳを通過した帯電微粒子水Ｍを外部対象空間へと放出する放出口２１となる。
【００２７】
筐体３は、通過スペースＳに面する筒型の内側部分２２と、この内側部分２２を囲む同じく筒型の外側部分２３とを有する。内側部分２２は、液体４となる水分を十分に保持することのできる多孔質体からなり、外側部分２３は非多孔質体からなる。
【００２８】
飽和度制御手段は、液体４となる水を筐体３の内側部分２２にまで順次搬送するものであり、空気中の水分を液化させる液化手段２４と、この液化手段２４で液化された水を筐体３に搬送する搬送部２５とを有する。液化手段２４は、結露水を生成するためのペルチェモジュール２６からなる。搬送部２５は、吸熱側と放熱側を有する熱交換器であるペルチェモジュール２６の該吸熱側にて生成される結露水を、毛細管現象により筐体３の内側部分にまで順次搬送する多孔質部材からなる。これにより、水補給の手間なく継続的に液体４を供給することができる。
【００２９】
ペルチェモジュール２６の放熱側には、フィン形状の放熱部２７を接続させている。ペルチェモジュール２６内に配される多数のペルチェ素子（図示略）は、霧化液１生成用のペルチェモジュール２６と同様、冷却制御部１４に電気接続されている。冷却制御部１４は、ペルチェモジュール２６による液体４の生成を制御し、これにより、筐体３に対する液体４の供給、ひいては通過スペースＳ内での液体４の飽和度を制御する。
【００３０】
このように、本例の静電霧化装置が備える制御回路１９は、冷却制御部１４を介して霧化液１と液体４の供給を制御し、電圧印加部１１を介して霧化電極１０に対する電圧印加を制御する。
【００３１】
搬送部２５を通じて搬送された液体４が筐体３の内側部分２２に保持されると、筐体３内の通過スペースＳは、液体４である水の飽和度が高い状態（つまり、湿度の高い状態）となる。そのため、開口１７を通じて通過スペースＳ内に導入された帯電微粒子水は、液体４の飽和度が高い状態にある通過スペースＳ内を通過した後に、放出口２１を通じて外部対象空間に放出される。
【００３２】
通過スペースＳ内において、帯電微粒子水Ｍには、これを核として液体４である水分が順次凝縮されてゆく。これにより、帯電微粒子水Ｍは、静電霧化装置本体２にて生成された直後よりも粒径を増大させたうえで、外部対象空間へと放出される。
【００３３】
上述したように、本例の静電霧化装置では、帯電微粒子水Ｍが通過する通過スペースＳを有する筐体３と、通過スペースＳ内に液体４の蒸気を供給することで通過スペースＳ内での液体４の飽和度を高める飽和度制御手段とを備えている。そして、通過スペースＳ内を通過する帯電微粒子水Ｍにこれを核として液体４を凝縮させることで、液体４の粒径を成長させるように設けている。
【００３４】
本例の静電霧化装置によれば、静電霧化装置本体２においてナノメータサイズの微小な粒径を有する帯電微粒子水Ｍをまず生成し、筐体３を通過する際に、帯電微粒子水Ｍの粒径を好ましい程度にまで増大させたうえで、外部対象空間に吐出することができる。つまり、帯電微粒子水Ｍの生成後に、その粒径を自在に成長させたうえで吐出することができる。
【００３５】
しかも、本例の静電霧化装置では、筐体３を上流側ブロック３０と下流側ブロック３１に分け、上流側ブロック３０を冷却し、下流側ブロック３１を加熱するように設けている。上流側ブロック３０を冷却するための冷却手段は、ペルチェモジュール２６の吸熱側と上流側ブロック３０との間をつなぐ伝熱部材３２からなる。また、下流側ブロック３１を加熱するための加熱手段は、下流側ブロック３１に密着または近接して設けた加熱ヒータ３３からなる。加熱ヒータ３３は、加熱制御部３４を介して制御回路１９に接続される。
【００３６】
筐体３内の通過スペースＳは、上流側ブロック３０内のスペースである上流側スペースＳ１と、下流側ブロック３１内のスペースである下流側スペースＳ２とに分かれる。上流側スペースＳ１と下流側スペースＳ２とは一直線状に連通し、上流側スペースＳ１よりも下流側スペースＳ２が高温となるように温度制御される。
【００３７】
このように、通過スペースＳが、上流側スペースＳ１と下流側スペースＳ２とを一連に有し、上流側スペースＳ１よりも下流側スペースＳ２が高温となるように温度制御したものであることで、通過スペースＳ内を通過する帯電微粒子水Ｍの粒径が効率的に増大するようになっている。
【００３８】
つまり、帯電微粒子水Ｍは、まず低温側である上流側スペースＳ１内に導入され、次いで、高温側である下流側スペースＳ２内に導入され、この下流側スペースＳ２内を通過したうえで外部対象空間に吐出される。ここで、高温側である下流側スペースＳ２内においては、液体４である水の蒸気（つまり水蒸気）が、高温で存在する。そして、この下流側スペースＳ２内においては、低温側である上流側スペースＳ１から導入された低温の帯電微粒子水Ｍや水蒸気からなるエアロゾルの大部分が、その軸中心側エリアＡ（図中の斜線部参照）を通過してゆく。
【００３９】
下流側スペースＳ２内に存在する高温の水蒸気は、低温側にむけて拡散する傾向を有する。したがって、下流側スペースＳ２内に存在する高温の水蒸気は、前記エアロゾルが通過して比較的低温となる軸中心側エリアＡ側に集中するように移動する。このため、高温側である下流側スペースＳ２内においては、軸中心側エリアＡ側が過飽和状態になりやすく、この軸中心側エリアＡを通過する帯電微粒子水Ｍに水分が効率的に凝縮して、帯電微粒子水Ｍの粒径を増大させる。つまり、通過スペースＳ内を通過する帯電微粒子水Ｍが、より効率的に成長する仕組みとなっている。
【００４０】
なお、上流側スペースＳ１と下流側スペースＳ２との間で温度差を生じさせる手段は、前記の冷却手段や加熱手段に限定されない。つまり、他の手段で上流側スペースＳ１を冷却し、下流側スペースＳ２を加熱してもよいし、上流側スペースＳ１の冷却のみを行うか、或いは、下流側スペースＳ２の加熱だけを行うものであってもよい。
【００４１】
図２、図３には、実験結果を示している。ここでは、成長条件として、筐体３の上流側ブロック３０を１５℃、下流側ブロック３１を６０℃に保持したうえで、静電霧化装置本体２にて発生した帯電微粒子水Ｍを、ファンを用いて１．５Ｌ／ｍの流量で筐体３内を通過させた。
【００４２】
図２の実験結果からは、筐体３を通過させない場合（成長なしの場合）に比べて、筐体３を通過させた場合（成長ありの場合）には、外部に吐出された帯電微粒子水Ｍの粒径が約５倍（体積にして約１２５倍）に成長していることが分かる。
【００４３】
そして、図３の実験結果から、筐体３を通過させない場合（成長なしの場合）に比べて、筐体３を通過させた場合（粒径を約５倍に成長させた場合）には、外部に吐出された帯電微粒子水Ｍの寿命が７倍程度に向上していることが分かる。ここでの寿命計測は、図４に示す計測系により行った。この計測系では、静電霧化装置から吐出される帯電微粒子水Ｍを、銅管３５内を通過させたうえで、イオン濃度計測器３６により計測させる。銅管３５の長さ寸法は、０．０１〜５０ｍの範囲内で選択自在である。
【００４４】
本例では、上流側スペースＳ１と下流側スペースＳ２との間に温度差が生じるように温度制御しているが、通過スペースＳ内で温度差を生じさせない場合であっても、液体４の蒸気が高い飽和度で存在する通過スペースＳ内を通過させれば、帯電微粒子水Ｍの粒径を成長させることができる。このとき、通過スペースＳへの蒸気の供給とともに、あるいは蒸気の供給に代えて、通過スペースＳ内全体を冷却するように温度制御してもよい。通過スペースＳ内に存在する蒸気量が同一であっても、雰囲気の温度を下げることで飽和度を高めることができる。
【００４５】
次に、本発明の実施形態における第２例の静電霧化装置について、図５に基づいて説明する。なお、以下においては、本例の構成のうち第１例と同様のものについての詳しい説明を省略し、本例の特徴的な構成についてのみ詳述する。
【００４６】
本例の静電霧化装置では、霧化電極１０を冷却するためのペルチェモジュール１２を、筐体３に搬送するための結露水を生成する液化手段２４としても利用している。
【００４７】
このペルチェモジュール１２の吸熱側の第一の部分には、冷却板１３を介して霧化電極１０を接続させている。これにより、前記第一の部分により霧化電極１０を冷却し、霧化液１となる結露水を霧化電極１０に直接生成する。
【００４８】
また、ペルチェモジュール１２の吸熱側の第二の部分には、結露水生成用の冷却板４０を接続させている。これにより、前記第二の部分により冷却板４０を冷却し、液体４となる結露水を冷却板４０上に生成する。冷却板４０には、多孔質部材からなる搬送部４１を接続させている。この搬送部４１は、冷却板４０上で生成される結露水を、毛細管現象により筐体３の内側部分２２にまで順次搬送する。
【００４９】
ペルチェモジュール１２に電気接続される冷却制御部１４は、霧化電極１０の冷却を制御することで霧化液１の供給を制御するとともに、冷却板４０の冷却を制御して液体４の供給を制御する。
【００５０】
また、ペルチェモジュール１２には、筐体３の外周面に沿うように伝熱部材４２を接続させている。この伝熱部材４２は、ペルチェモジュール２６の吸熱側と上流側ブロック３０との間をつなぎ、上流側ブロック３０の冷却を行うものである。
【００５１】
本例の静電霧化装置によれば、構造のコンパクト化や低コスト化を図ることができる。
【００５２】
次に、本発明の実施形態における第３例の静電霧化装置について、図６に基づいて説明する。なお、以下においては、本例の構成のうち第２例と同様のものについての詳しい説明を省略し、本例の特徴的な構成についてのみ詳述する。
【００５３】
本例の静電霧化装置では、筐体３の上流側ブロック３０に密着または近接した加熱ヒータ５０を設け、この上流側ブロック３０を加熱することで、上流側スペースＳ１よりも下流側スペースＳ２が低温となるように温度制御する。加熱ヒータ５０は、加熱制御部５１を介して制御回路１９に接続される。この場合においても、以下に述べるように、通過スペースＳ内を通過する帯電微粒子水Ｍの粒径が効率的に増大する。
【００５４】
帯電微粒子水Ｍは、まず高温側である上流側スペースＳ１内に導入され、次いで、低温側である下流側スペースＳ２内に導入され、この下流側スペースＳ２内を通過したうえで外部対象空間に吐出される。高温側から低温側に導入された帯電微粒子水Ｍの周囲は、通過の際に温度低下することで過飽和状態となり、過飽和状態となった液体４の蒸気が、帯電微粒子水Ｍを核として凝縮する。つまり、下流側スペースＳ２内を通過する帯電微粒子水Ｍに水分が効率的に凝縮し、帯電微粒子水Ｍの粒径を増大させることで、帯電微粒子水Ｍが効率的に成長する仕組みとなっている。
【００５５】
このように、本例の静電霧化装置の通過スペースＳは、上流側スペースＳ１と下流側スペースＳ２と一連に有し、上流側スペースＳ１よりも下流側スペースＳ２が低温となるように温度制御したものである。そのため、通過スペースＳ内を通過する帯電微粒子水Ｍの粒径が効率的に増大するようになっている。
【００５６】
本例の成長プロセスは第１例の成長プロセスとは相違するが、いずれのプロセスにおいても、温度差を設けない場合と比較してより効率的に帯電微粒子水Ｍが成長する。なお、上流側スペースＳ１と下流側スペースＳ２との間で温度差を生じさせる手段は、前記の加熱手段に限定されない。つまり、例えば下流側スペースＳ２を冷却することで温度差を生じさせてもよいし、上流側スペースＳ１の加熱と下流側スペースＳ２の冷却を組み合わせてもよい。加熱や冷却の方式についても適宜選択が可能である。
【００５７】
次に、本発明の実施形態における第４例の静電霧化装置について、図７に基づいて説明する。なお、以下においては、本例の構成のうち第１例と同様のものについての詳しい説明を省略し、本例の特徴的な構成についてのみ詳述する。
【００５８】
本例の静電霧化装置では、電圧印加部１１によって、帯電微粒子水Ｍが通過する筐体３に対してマイナスの電圧を印加するように設けている。これにより、マイナス帯電の帯電微粒子水Ｍが筐体３内を通過する際に、帯電微粒子水Ｍと筐体３との間に斥力を働かせ、帯電微粒子水Ｍが筐体３内面に吸着することを抑制する。
【００５９】
なお、筐体３への電圧印加手段としては、筐体３の少なくとも内面に帯電微粒子水Ｍと同一極の電圧を印加するものであればよい。
【００６０】
次に、本発明の実施形態における第５例の静電霧化装置について、図８に基づいて説明する。なお、以下においては、本例の構成のうち第１例と同様のものについての詳しい説明を省略し、本例の特徴的な構成についてのみ詳述する。
【００６１】
本例の静電霧化装置では、使用者が操作可能な箇所に、帯電微粒子水Ｍを放出させる外部対象空間の想定サイズを入力することのできる入力部７０を備えている。ここでの想定サイズとしては、例えば部屋の床面積を基準としたものを用いる。この場合、８畳、１６畳、２４畳等の床面積を選択可能とするスイッチ類を入力部７０に設けておく。
【００６２】
制御回路１９は、外部対象空間に放出される帯電微粒子水Ｍの粒径が、入力部７０に入力された想定サイズ（８畳、１６畳、２４畳等）に対応した粒径となるように、電圧印加部１１や冷却制御部１４を制御する。この電圧印加部１１や冷却制御部１４の制御により、筐体３内の通過スペースＳの温度、上流側スペースＳ１と下流側スペースＳ２の温度差、筐体３内への液体４の搬送量、等の適宜パラメータのうち少なくとも一つを制御し、最終的に帯電微粒子水Ｍがどの程度の粒径にまで成長するかを制御する。
【００６３】
一般的に、粒径が大きくなるほど寿命が向上し、その一方で、外部対象空間の隅々にまでは行き渡りにくくなる。これに対し、入力される想定サイズが小さい場合と大きな場合とで、帯電微粒子水Ｍの成長の度合いが相違するように設定しておく。具体的には、前者の場合には後者の場合よりも大きな粒径で帯電微粒子水Ｍが放出されるように、各パラメータを設定しておく。
【００６４】
このように、本例では、帯電微粒子水Ｍを放出させる外部対象空間の想定サイズを入力する入力部７０を具備し、入力部７０に入力された想定サイズと対応した粒径となるように帯電微粒子水Ｍを成長させるように設けている。これにより、多様な外部対象空間にそれぞれ対応した粒径で、帯電微粒子水Ｍを放出することができる。
【００６５】
以上、本発明を添付図面に示す実施形態に基づいて説明したが、本発明は前記各例の実施形態に限定されるものではなく、本発明の意図する範囲内であれば、各例において適宜の設計変更を行うことや、各例の構成を適宜組み合わせて適用することが可能である。
【符号の説明】
【００６６】
１  霧化液
２  静電霧化装置本体
３  筐体
４  液体
１０  霧化電極
１２  ペルチェモジュール
２４  液化手段
２５  搬送部
２６  ペルチェモジュール
３０  上流側ブロック
３１  下流側ブロック
４１  搬送部
７０  入力部
Ｍ  帯電微粒子水
Ｓ  通過スペース
Ｓ１  上流側スペース
Ｓ２  下流側スペース
【図１】
2011255251.tif 000003
【図２】
2011255251.tif 000004
【図３】
2011255251.tif 000005
【図４】
2011255251.tif 000006
【図５】
2011255251.tif 000007
【図６】
2011255251.tif 000008
【図７】
2011255251.tif 000009
【図８】
2011255251.tif 000010
【手続補正書】
【提出日】平成23年6月13日(2011.6.13)
【手続補正１】
【補正対象書類名】特許請求の範囲
【補正対象項目名】全文
【補正方法】変更
【補正の内容】
【特許請求の範囲】
【請求項１】
霧化液に電圧を印加することで帯電微粒子水を生成する静電霧化装置本体と、前記帯電微粒子水が通過する通過スペースを有する筐体と、前記通過スペース内に粒径成長用の液体を蒸発させてなる蒸気を供給することで前記通過スペース内での前記液体の飽和度を高める飽和度制御手段とを具備し、前記通過スペース内を通過する前記帯電微粒子水を核として前記蒸気を前記液体に凝縮させることで、前記帯電微粒子水の粒径を成長させることを特徴とする静電霧化装置。
【請求項２】
前記飽和度制御手段は、前記通過スペース内に前記蒸気を供給し且つ前記通過スペース内の温度を制御することで、前記通過スペース内の前記液体の飽和度を高めるものであることを特徴とする請求項１に記載の静電霧化装置。
【請求項３】
前記通過スペースは、上流側スペースと下流側スペースとを一連に有し、前記上流側スペースよりも前記下流側スペースが高温となるように温度制御したものであることを特徴とする請求項１又は２に記載の静電霧化装置。
【請求項４】
前記通過スペースは、上流側スペースと下流側スペースとを一連に有し、前記上流側スペースよりも前記下流側スペースが低温となるように温度制御したものであることを特徴とする請求項１又は２に記載の静電霧化装置。
【請求項５】
前記筐体は、前記帯電微粒子水と同一極の電圧を印加したものであることを特徴とする請求項１〜４のいずれか一項に記載の静電霧化装置。
【請求項６】
前記帯電微粒子水を放出させる外部対象空間の想定サイズを入力する入力部を具備し、前記入力部に入力された前記想定サイズと対応した粒径となるように前記帯電微粒子水を成長させることを特徴とする請求項１〜５のいずれか一項に記載の静電霧化装置。
【請求項７】
前記飽和度制御手段は、大気中の水分を液化させる液化手段と、前記液化手段で液化された水を前記筐体に搬送する搬送部とを有することを特徴とする請求項１〜６のいずれか一項に記載の静電霧化装置。
【請求項８】
前記液化手段は、結露水を生成するペルチェモジュールからなることを特徴とする請求項７に記載の静電霧化装置。
【手続補正２】
【補正対象書類名】明細書
【補正対象項目名】０００８
【補正方法】変更
【補正の内容】
【０００８】
本発明の静電霧化装置は、霧化液に電圧を印加することで帯電微粒子水を生成する静電霧化装置本体と、前記帯電微粒子水が通過する通過スペースを有する筐体と、前記通過スペース内に粒径成長用の液体を蒸発させてなる蒸気を供給することで前記通過スペース内での前記液体の飽和度を高める飽和度制御手段とを具備し、前記通過スペース内を通過する前記帯電微粒子水を核として前記蒸気を前記液体に凝縮させることで、前記帯電微粒子水の粒径を成長させることを特徴とする。
【手続補正３】
【補正対象書類名】明細書
【補正対象項目名】０００９
【補正方法】変更
【補正の内容】
【０００９】
前記飽和度制御手段は、前記通過スペース内に前記蒸気を供給し且つ前記通過スペース内の温度を制御することで、前記通過スペース内の前記液体の飽和度を高めるものであることが好ましい。